(57)【要約】本発明は、無線アクセスネットワークと複数の移動通信端末を具備する、ワイヤレスシステム内の無線アクセスネットワークと通信方法に関する。処理時間に関するさらなる要求なしにユーザ端末が周波数間測定を行えるよう、ＲＡＮは、周波数間測定を行うことを移動通信端末に通知し、複数のインポータンスレイヤを含むスケーラブルデータサービスの送信データを移動通信端末に送信し、送信データのインポータンスレイヤのスケジューリングを行う。スケジューリングは、送信のために複数のインポータンスレイヤのサブセットを選択することを含む。
2006526312.tif 000002
【特許請求の範囲】
【請求項１】
無線アクセスネットワークと複数の移動通信端末とを具備する無線システムにおける通信方法であって、前記無線アクセスネットワークによって行われる以下のステップを備え、
周波数間測定を行うよう移動通信端末に通知するステップと、
複数の異なるレイヤデータストリームを含むスケーラブルデータサービスの送信データを前記移動通信端末に送信するステップと、
前記複数の異なるレイヤデータストリームのサブセットを選択するステップと、
送信のために前記選択した異なるデータストリームをスケジューリングするステップと、
を備える通信方法。
【請求項２】
個別トランスポートチャネルが送信に使用される場合に、前記スケーラブルデータサービスの前記送信データがスケジューリングされる請求項１に記載の通信方法。
【請求項３】
前記送信データのスケジューリングを行うよう前記スケーラブルデータサービスの制御部に通知するステップをさらに備える請求項１または請求項２に記載の通信方法。
【請求項４】
前記スケーラブルデータサービスの制御部に通知するステップにおいて、前記無線アクセスネットワークの無線リソース制御部は、前記送信データのスケジューリングを行うよう、前記スケーラブルデータサービスの媒体アクセス制御部に少なくとも一つの指示プリミティブを用いて通知する請求項３に記載の通信方法。
【請求項５】
前記スケーラブルデータサービスの制御部に通知するステップにおいて、前記無線アクセスネットワークの無線リソース制御部は、前記無線リソース制御部および前記スケーラブルデータサービスの制御部が一緒に配置されていない場合、前記スケーラブルデータサービスの前記制御部にネットワーク要素間インタフェースシグナリングを用いて通知する請求項３に記載の通信方法。
【請求項６】
前記スケーラブルデータサービスの制御部に通知するステップは、スケジューリングすべき異なるレイヤデータストリームのサブセットの選択に関するスケジューリング情報を送信するステップを備える請求項３から請求項５のいずれかに記載の通信方法。
【請求項７】
前記送信データの前記異なるレイヤデータストリームは、基本的サービス品質を実現する基本レイヤと前記サービス品質を向上させる少なくとも一つの拡張レイヤとを具備する請求項１から請求項６のいずれかに記載の通信方法。
【請求項８】
前記無線アクセスネットワークから前記移動通信端末に提供される前記送信データを物理チャネル上で多重化するステップをさらに備える請求項１から請求項７のいずれかに記載の通信方法。
【請求項９】
前記周波数間測定結果から導出されたインジケータを前記移動通信端末から受信するためのステップをさらに備える請求項１から請求項８のいずれかに記載の通信方法。
【請求項１０】
前記スケーラブルサービスデータを送信するための新しい周波数を前記移動通信端末に割り当てるか否かを、受信した測定インジケータに基づいて決定するステップと、
前記新しい周波数を割り当てることが決定された場合に、前記移動通信端末にデータ送信用の前記新しい周波数を割り当てるステップと、
をさらに備える請求項９に記載の通信方法。
【請求項１１】
前記通知するステップにおいて前記移動通信端末に送信されるデータは、前記無線アクセスネットワークによって使用される、前記スケーラブルデータサービスのデータ送信のための送信フォーマットに関する情報を含む請求項１から請求項１０のいずれかに記載の通信方法。
【請求項１２】
前記送信フォーマット内の情報は、送信フレーム内の送信ギャップの時間的位置、前記送信ギャップの持続期間、および／または前記送信フォーマット内の連続送信ギャップの数を示す請求項１１に記載の通信方法。
【請求項１３】
前記通知するステップにおいて前記移動通信端末に送信されるデータは、ＭＢＭＳ制御チャネルまたは通知制御チャネルを用いて送信される請求項１１または請求項１２に記載の通信方法。
【請求項１４】
前記スケーラブルデータサービスの前記送信データをパンクチャリングするステップをさらに備える請求項１から請求項１３のいずれかに記載の通信方法。
【請求項１５】
前記スケーラブルデータサービスの前記送信データを拡散するのに使用する拡散コードの拡散率を下げるステップをさらに備える請求項１から請求項１４のいずれかに記載の通信方法。
【請求項１６】
前記スケーラブルデータサービスは、マルチメディアブロードキャスト／マルチキャストサービス（ＭＢＭＳ）である請求項１から請求項１５のいずれかに記載の通信方法。
【請求項１７】
前記スケーラブルデータサービスは、マルチキャストおよび／またはブロードキャストデータの送信を備える請求項１から請求項１６のいずれかに記載の通信方法。
【請求項１８】
多重化は、前記物理チャネルでの、時間多重、符号多重またはＯＦＤＭサブキャリア多重のいずれかである請求項８から請求項１７のいずれかに記載の通信方法。
【請求項１９】
複数の移動通信端末に接続可能な無線システム内の無線アクセスネットワークであって、
周波数間測定を行うよう移動通信端末に通知するための通知手段と、
複数の異なるレイヤデータストリームを有するスケーラブルデータサービスの送信データを前記移動通信端末に送信するための送信手段と、
前記送信データの前記異なるレイヤデータストリームのサブセットをスケジューリングするとともに、送信のために前記複数の異なるレイヤデータストリームのサブセットを選択するよう構成されるスケジューリング手段と、
を具備する無線アクセスネットワーク。
【請求項２０】
前記スケジューリング手段は、個別トランスポートチャネルが送信に使用される場合に、前記スケーラブルデータサービスの前記送信データをスケジューリングするよう構成される請求項１９に記載の無線アクセスネットワーク。
【請求項２１】
前記通知手段は、前記送信データのスケジューリングを行うよう、前記スケーラブルデータサービスの制御手段に通知するようさらに構成される請求項１９または請求項２０に記載の無線アクセスネットワーク。
【請求項２２】
前記送信データのスケジューリングを行うよう、前記スケーラブルデータサービスの媒体アクセス制御手段に少なくとも一つの指示プリミティブを用いて通知するための無線リソース制御部をさらに具備する請求項２１に記載の無線アクセスネットワーク。
【請求項２３】
前記無線リソース制御部および前記制御部が一緒に配置されていない場合に、前記スケーラブルデータサービスの制御手段にネットワーク要素間インタフェースシグナリングを用いて通知を送信するための無線リソース制御部をさらに具備する請求項２１に記載の無線アクセスネットワーク。
【請求項２４】
前記無線リソース制御部は、前記移動通信端末への前記異なるレイヤデータストリームのサブセットの選択に関するスケジューリング情報を送信するよう構成される請求項２１から請求項２３のいずれかに記載の無線アクセスネットワーク。
【請求項２５】
前記送信データの前記異なるレイヤデータストリームは、基本的サービス品質を実現する基本レイヤと前記サービス品質を向上させる少なくとも一つの拡張レイヤとを有する請求項１９から請求項２４のいずれかに記載の無線アクセスネットワーク。
【請求項２６】
前記移動通信端末に提供される前記送信データを物理チャネル上で多重化するための多重化手段をさらに具備する請求項１９から請求項２５のいずれかに記載の無線アクセスネットワーク。
【請求項２７】
前記移動通信端末からの前記周波数間測定結果から導出されたインジケータを受信するための受信手段をさらに具備する請求項１９から請求項２６のいずれかに記載の無線アクセスネットワーク。
【請求項２８】
前記スケーラブルデータサービスデータの送信のために前記移動通信端末に新しい周波数を割り当てるか否かを、受信した測定インジケータに基づいて決定するための決定手段と、
前記新しい周波数を割り当てることが決定された場合に、前記移動通信端末にデータ送信のための前記新しい周波数を割り当てるための割当て手段と、
をさらに具備する請求項１９から請求項２７のいずれかに記載の無線アクセスネットワーク。
【請求項２９】
前記スケーラブルサービスの前記送信データをパンクチャリングするためのパンクチャリング手段をさらに具備する請求項１９から請求項２８のいずれかに記載の無線アクセスネットワーク。
【請求項３０】
前記スケーラブルデータサービスの前記送信データを拡散するとともに、拡散コードの拡散率を変更するよう構成される拡散手段をさらに具備する請求項１９から請求項２９のいずれかに記載の無線アクセスネットワーク。
【請求項３１】
請求項１９から請求項３０のいずれかに記載の無線アクセスネットワークと、スケーラブルサービスデータを送信および／または受信する少なくとも一つの移動通信端末と、を具備する通信システム。
【発明の詳細な説明】
【技術分野】
【０００１】
本発明は、スケーラブルデータサービスのデータの送信を行うための通信方法、無線アクセスネットワーク、および通信システムに関する。
【背景技術】
【０００２】
第三世代パートナーシッププロジェクト（３ＧＰＰ）仕様作業部会は、近年、ユニバーサル移動体通信システム（ＵＭＴＳ）の規定に取り組んできた。２００２年３月のリリース５では、マルチレート広帯域音声コーデック、ＩＰベースマルチメディアサービス（ＩＭＳ）、および高速ダウンリンクパケットアクセス（ＨＳＤＰＡ）などの高度な特徴が導入されている。
【０００３】
ＵＭＴＳネットワークアーキテクチャーには、コアネットワーク（ＣＮ）と地上無線アクセスネットワーク（ＵＴＲＡＮ）とが規定されている。ＵＴＲＡＮは、音声やデータだけでなく、同じエアーインタフェースを通じてリアルタイムサービスと非リアルタイムサービスの両サービスを効率的に取り扱うよう設計されている。このフレームワークには、数種類の無線インタフェースモードが規定されている。基本的には、この規定では、２種類の動作モード、すなわちペア型周波数帯（paired frequency band）での動作のための周波数分割複信（ＵＴＲＡＮ  ＦＤＤ）モードと非ペア型周波数帯（unpaired frequency band）での動作のための時分割複信（ＵＴＲＡＮ  ＴＤＤ）モードとが区別されているので、代替的なチップレートや帯域幅を実現化することができる。
【０００４】
例えば、ＵＴＲＡＮ  ＦＤＤモードでは、アクセス技術として広帯域ＣＤＭＡ（Ｗ−ＣＤＭＡ）が採用されている。Ｗ−ＣＤＭＡでは、直接拡散ＣＤＭＡが採用されているので、最高３８４ｋｂｉｔ／ｓ（１ピコセル内で２．０４８Ｍｂｉｔ／ｓ）までのビットレートが可能である。無線リンクを通じたこのような高いデータ送信速度により、ＵＭＴＳへのスケーラブルなマルチメディアサービスの導入が促進される。このような観点から、一対多方向サービスまたはブロードキャストサービスに対し、ビデオおよびオーディオストリーミングの分野で特に関心が寄せられている。
【０００５】
一対多方向サービスでは、単一のデータソース部から複数のエンドポイントにデータを送信することができる。このようなサービスは、無線ネットワークを通じて広く利用されることが予想されるため、公衆地上移動通信ネットワーク（ＰＬＭＮ）がこれらを効率的にサポートする必要性が生じてくる。このような点で、マルチメディアマルチキャスト／ブロードキャストサービス（ＭＢＭＳ）は、ホーム環境や他の付加価値サービスプロバイダ（ＶＡＳＰ）によって提供されるこのようなブロードキャスト／マルチキャストサービスを実施するためのこのような能力を提供することを目的としている。
【０００６】
ＭＢＭＳとは、単一のデータソース部から複数の受信者へデータを送信する一対多方向ベアラサービスである。このようなベアラ機能が、今後他のサービスで採用されることが予想されている。３ＧＰＰは、ＭＢＭＳ向けの２種類の動作モード、すなわちブロードキャストモードとマルチキャストモードとを定義している。マルチキャスト／ブロードキャスト送信という観点からサービスを提供することに対する主たる動機は、数人のユーザに対し同じコンテンツを同時に送信する際に、無線リソースの効率的利用を図るという点にある。
【０００７】
マルチキャスト／ブロードキャストモードとは、単一のデータソース部からマルチキャスト／ブロードキャストサービスエリア内のすべてのユーザに対し、マルチメディアデータ（例えばテキスト、オーディオ、画像、ビデオ）が単方向で送信される、一対多方向送信モードである。マルチキャスト／ブロードキャストモードは、例えば一本の論理チャネルを通じてデータを送信するなど、無線／ネットワークリソースを効率的に活用することを目的としている。データは、ネットワークによって規定されるマルチキャスト／ブロードキャストサービスエリア（ホーム環境）内に送信される。マルチキャストモードでは、ネットワークが、マルチキャストグループのメンバーが含まれているマルチキャストサービスエリア内のセルに選択的に送信を行うことができる。
【０００８】
ＭＢＭＳデータ送信は、例えばＭＢＭＳデータのビットレートを下げるなどして、無線アクセスネットワーク（ＲＡＮ）の各種機能や無線リソースのさまざまなアベイラビリティに適応する。適切なメカニズムの選択と記述は、ＭＢＭＳステージ２の対象である。
【０００９】
ＭＢＭＳデータの送信は、一対多方向論理チャネルのＭＴＣＨ（ＭＢＭＳトラフィックチャネル）を通じて実施される一方、ＭＢＭＳ制御情報の送信は、一対多方向論理チャネルのＭＣＣＨ（ＭＢＭＳ制御チャネル）で実施される。ＭＢＭＳ制御チャネルを通じて送信される情報だけが通知に関連する場合には、このチャネルはＭＣＣＨ（通知制御チャネル）とも呼ばれる。特定の基準（システム負荷など）に基づいて、これらの論理チャネルを個別トランスポートチャネル（ＤＣＨ：個別チャネル）または共通トランスポートチャネル（例えばＦＡＣＨ：フォワードアクセスチャネル）上にマップすることも可能である。
【００１０】
スケーラブルＭＢＭＳなどのスケーラブルデータサービスは、送信するデータを個別のレイヤデータストリームに分離することができるという前提に基づいている。このストリームは、インポータンスレイヤとも表される。実際には、これらは、基本レイヤと一つまたはそれ以上の拡張レイヤに分類される。これらレイヤの名称が示すとおり、基本レイヤは、許容可能な品質のうち最も低いレベルの品質で受信するサービスに必要とされるデータ（例えばビデオストリーミング）を含み、ＭＢＭＳデータストリームに関する基本的サービス品質を確保する。拡張レイヤは、補足データだけを含むが、そのデータの受信とその後の処理により、基本レイヤによって確保された品質に比べ、エンドユーザが体験するサービス品質が改良される。
【００１１】
例えばＵＭＴＳ  ＵＴＲＡＮなどの無線ネットワークでは、複数の周波数キャリアを介して、セル内でサービスが提供される。異なる周波数によって分離されたこれらの新しいセルは、通常、通信範囲（coverage）が同じであるだけでなく、多層化され、地理的に同じ場所にまとめて配置されて、一つのセル構造を形成している。周波数キャリア間で負荷のバランスをとることを目的として、周波数間ハンドオーバー、すなわち周波数間セル切替えが行なわれるので、各周波数キャリアを介して多数のユーザにサービスを提供することが可能となる。周波数間ハンドオーバーは、無線ネットワークコントローラ（ＲＮＣ）内に設置されているＲＲＣ（無線リソース制御）部によって制御される。
【００１２】
周波数間セル切替えは、ユーザ装置（ＵＥ）または移動通信端末が、周波数間測を行って実行することも、あるいは周波数間測定を行わずに実行することもできる。前者の場合、はじめにネットワークがＵＥに対して、周波数間測定を行うよう指示する。最終的に、無線アクセスネットワーク（ＲＡＮ）は、周波数間ハンドオーバーを行うのか、実測結果に基づかないのか、あるいは、そのような決定をＵＥに委ねるのかを決定する。
【００１３】
ルーセントテクノロジによるＴｄｏｃ  Ｒ２−０２２１１０、“Ｐｏｗｅｒ  Ｕｓａｇｅ  ｆｏｒ  ＭＢＭＳ”（３ＧＰＰから入手可能）では、ＦＡＣＨなどの共通トランスポートチャネルを通じたデータ送信に、セルの全通信範囲が必要な場合には、当セクターの全送信パワーの６６％を単一の６４ｋｂｐｓのＭＢＭＳに配分しなくてはならないという点が指摘されている。スケーラブルＭＢＭＳ送信を利用するための方法の一つの例として、セル端に近接した位置に所在するユーザに対してインポータンスレイヤの基本レイヤだけを送信することによって、パワーに対する要求を緩和し、データを送信している無線アクセスネットワークのノードＢにユーザの所在位置が近づくにつれて拡張レイヤの数を漸次増加するという方法がある。このような技術を図１２に図解する。
【００１４】
これまでは、ＭＢＭＳにおけるスケーラビリティについては、３ＧＰＰの関連する標準化組織で検討されてこなかったために、スケーラブルなＭＢＭＳ送信がＲＡＮでサポートされるか否かは明らかではない。今後の検討では、スケーラブルなＭＢＭＳ送信をサポートできるだけの十分な知見がＲＡＮでも得られることが前提となろう。スケーラビリティがＲＡＮでサポートされるなら、各種インポータンスレイヤの送信をサポートする複数論理チャネル（ＭＴＣＨ）が存在しうる。論理チャネルを取り扱うためのＭＢＭＳ特有の機能は、現在、ＲＮＣ内の媒体アクセス制御ＭＡＣ  ｃ／ｓｈ／ｍ部内に配置されている。
【００１５】
コンプレストモード測定（詳細については、例えば、３ＧＰＰ  ＴＳ  ２５．２１５：“Ｐｈｙｓｉｃａｌ  ｌａｙｅｒ  −  Ｍｅａｓｕｒｅｍｅｎｔｓ  （ＦＤＤ）”を参照）は、通常、フルデュアル受信端末のないＣＤＭＡシステム内で他の送信周波数の測定を行う際に実施されている。このモードは、処理時間に関するさらなる要求を課すことなくＵＥが測定を行えるようにするのにどのように送信ビットを操作したらよいかについての一例を示しているとみなすことができる。
【００１６】
「コンプレストモード」は、他の周波数の測定を行うことを目的として、ＵＥでの送受信が、短いタイムインターバル間、中断することを意味する。このようなタイムインターバルでは、ＵＥが受信するフレーム内に、ＵＥが測定を行うことができるようＲＡＮによってギャップが導入される。送信ギャップは、タイムドメイン、すなわちタイムフレームで送信すべきデータを圧縮することによって生成される。
【００１７】
フレーム圧縮法には３種類ある。第一には、拡散率を下げることによって利用可能なデータ送信レートを上げる方法がある。拡散率の低下は、多くの場合、フレーム内の送信パワーを上げることによって補償される。第二には、物理レイヤ上でパンクチャリングすることによってデータ送信レートを下げる方法がある。パンクチャリングには、いくつかの実質的限界があるので、この方法は、比較的短い送信ギャップを生成する事例に限定される。第三の方法は、上位レイヤでスケジューリングすることにより、物理レイヤに配信されるデータの送信レートを下げる方法である。
【００１８】
図１０は、フレーム内の送信パワーを上げることにより拡散率の低下が補償されている、圧縮測定モードにおけるフレームレベルでの物理チャネルの送信例を表している。図１１は、上位レイヤのスケジューリングによって送信ギャップが実現されている、圧縮モードにおけるフレームレベルでの物理チャネルの送信例を表している。
【００１９】
ＵＴＲＡＮから発行されたコマンドに基づいて、ＵＥは他の周波数のセルならびにＵＥによってサポートされている他のモードおよび無線アクセス技術のセルをモニタする。ＵＥが周波数間測定を行うことができるように、ＵＴＲＡＮはＵＥに対し、周波数間測定のためのコンプレストモードに入るよう指示する。
【発明の開示】
【００２０】
ＭＢＭＳは各種基地局（ノードＢ）によって制御されているセル間でのモビリティをサポートする。各基地局に二つ以上のＷ−ＣＤＭＡキャリアが存在する場合には、これらのキャリアは通常、負荷のバランスをとったり通信範囲を改良したりするのに使用される。ＭＢＭＳコンテンツは、地理的に隣接したセル内で同じキャリアを介して送信する必要がないことは明らかである。異なるノードＢによって制御されているセル間でのユーザのモビリティにより、同じＭＢＭＳグループに帰属するが異なる周波数キャリアを介してＭＢＭＳコンテンツを受信するユーザの組も存在しうる。したがって、無線を効率的に利用するためには、単一のＷ−ＣＤＭＡキャリアを介してＭＢＭＳコンテンツを送信することが望ましい。このように、ＲＡＮは、同じＭＢＭＳグループに帰属するすべてのユーザを単一の周波数キャリアに移動する必要性が生じる可能性がある。このような判断をさらに確実なものとするには、周波数間測定用のメカニズムが必要となる。
【００２１】
したがって、本発明の目的は、処理時間に関するさらなる要求なしに周波数間測定をユーザ端末が行えるようにする、スケーラブルなサービスを提供するための送信フォーマットを規定することにある。
【００２２】
本発明の目的は、個々の請求項によって解決される。さらなる実施の形態は、従属請求項の主題である。
【００２３】
上記目的を達成するために、本発明は、無線アクセスネットワークと複数の移動通信端末を具備した無線システムにおける通信法を提供する。無線アクセスネットワークは、周波数間測定を行うよう移動通信端末に通知する。さらに、無線アクセスネットワークは、スケーラブルデータサービスの送信データを移動通信端末に送信する。この送信データは複数のインポータンスレイヤを有している。
【００２４】
さらに、無線アクセスネットワークは、送信データのインポータンスレイヤのスケジューリングを行うが、このスケジューリングには、移動通信端末におけるスケーラブルデータサービスの送信データの処理時間を短縮するために複数の送信用インポータンスレイヤのサブセットを選択するプロセスが備っている。この種のスケジューリングを実行することにより、送信データの実効データレートを、送信に先んじて、無線アクセスネットワークで下げることができるので、移動通信端末が処理すべきデータの量が減り、その結果、移動通信端末が周波数間測定を行うことができるようになる。
【００２５】
有利には、個別トランスポートチャネルを送信に使用する場合には、スケーラブルデータサービスの送信データをスケジューリングしてもよい。本発明のこの実施の形態は、個別トランスポートチャネルを通じたマルチキャストサービスの提供に関するものである。この実施の形態では、インポータンスレイヤのスケジューリングにより、個別トランスポートチャネルがサービスデータの送信に使用されるので、移動通信端末へのマルチキャストストリームにおけるサービス品質が低下しても、同じマルチキャストサービスを提供されている他のユーザに影響を与えることはない。
【００２６】
さらに、スケーラブルデータサービスの制御部が、送信データのスケジューリングを行うために通知されてもよい。例えば、ＲＡＮの無線ネットワークコントローラにおける無線リソース制御が、送信データのインポータンスレイヤのスケジューリングを開始または停止するよう、媒体アクセスコントロールレイヤを通じて制御部に通知することができる。
【００２７】
より詳細には、無線アクセスネットワークの無線リソース制御部が、スケーラブルデータサービスの送信データのスケジューリングを制御するために、送信データのスケジューリングを行うよう、スケーラブルデータサービスの媒体アクセス制御部に通知することができる。
【００２８】
スケーラブルデータサービスを制御するための無線リソース制御部と媒体アクセス制御部とが同じネットワーク要素内に配置されている場合には、これら二つの制御部間におけるデータ交換に指示プリミティブを使用することができる。指示プリミティブの規定に関しては、３ＧＰＰ  ＴＳ２５．３０１、“Ｒａｄｉｏ  Ｉｎｔｅｒｆａｃｅ  Ｐｒｏｔｏｃｏｌ  Ａｒｃｈｉｔｅｃｔｕｒｅ”を参照されたい。
【００２９】
無線リソース制御部と無線アクセス制御部とが、スケーラブルデータを制御するため同じネットワーク要素内に配置されていない場合、すなわち同じ場所に一緒に配置されていない場合には、無線アクセスネットワークの無線リソース制御部が、ネットワーク要素間インタフェースシグナリングを用いて、スケーラブルデータサービスの制御部に通知を送信してもよい。ネットワーク要素間インタフェースシグナリングは、有線インタフェースシグナリング、例えばＩｕｂ／Ｉｕｒインタフェースシグナリングであってもよい。
【００３０】
指示プリミティブまたはＩｕｒ／Ｉｕｂシグナリングを使用して、例えばＭＡＣレベルのスケーラブルデータサービスの制御部が、周波数間測定を行うときにスケジューリングされることのできるインポータンスレイヤに関するスケジューリング情報を受信できる。したがって、システム内で融通性の高いスケジューリングが提供できる。
【００３１】
送信データの制御部による制御を可能にするため、当該制御部の通知には、当該制御部によってスケジューリングされるインポータンスレイヤのサブセットの選択に使用することができるスケジューリング情報を含むことができる。
【００３２】
送信データのインポータンスレイヤには、基本的サービス品質を実現する基本レイヤとサービス品質を向上させるための少なくとも一つの拡張レイヤを含むことができる。
【００３３】
さらに、無線アクセスネットワークは、物理チャネルにマップするため、無線アクセスネットワークから移動通信端末に提供される送信データを多重化することができる。
【００３４】
移動通信端末は、周波数間測定を行った後、さらなる処理のために無線アクセスネットワークにその結果を報告してもよい。無線アクセスネットワークは、周波数間測定の結果から導出されたシステム固有のインジケータを移動通信端末から受信し、測定結果に基づいて周波数セルの切替えを開始するなど、その後の行動をとることができる。インジケータは、ＲＡＮに周波数間測定の結果を報告するのに使用することができる既定データ構造である。インジケータは、一般に、特定の種類のインジケータへの一定範囲の測定結果のマッピングを記述したルックアップテーブルによって規定される。
【００３５】
このプロセスでは、移動通信端末は、受信した測定インジケータに基づいて、スケーラブルサービスデータを送信するための新しい周波数を移動通信端末に割り当てるか否かを決定し、ＲＡＮが新しい周波数を割り当てることを決定した場合には、移動通信端末にデータ送信のためのその新しい周波数を割り当てる。
【００３６】
通知プロセスで移動通信端末に送信されるデータに、無線アクセスネットワークによってスケーラブルデータサービスのデータ送信に使用される送信フォーマットに関する情報が含まれている場合には、さらに有利である。この場合、周波数間測定を行う際に、ＲＡＮと移動通信端末との現在の要求に適応可能な融通性の高い送信フォーマットを、通信システムで使用することが可能となる。
【００３７】
したがって、この情報は、送信フレーム内の送信ギャップの時間的な位置、送信ギャップの持続期間、および連続送信ギャップの数を表示することができる。
【００３８】
送信フレーム内の送信ギャップの時間的位置、送信ギャップの持続期間、および連続送信ギャップの数は、ＲＡＮによってスケーラブルデータ送信に使用される送信フォーマットを規定し、これら三つのパラメータにより、融通性の高いフォーマット規定をデータ送信に用いることができるようになる。さらに、送信フォーマットには、ＲＡＮによって使用される変調方式、インタリービングパターン、符号化方式などに関する情報を含むことができる。
【００３９】
無線アクセスネットワークから移動通信端末に対し、周波数間測定を行うよう通知するときに送信されるデータは、スケーラブルデータサービスの制御チャネルまたは通知制御チャネルを用いて送信することができる。
【００４０】
スケーラブルサービスの送信データのデータレートをさらに下げるため、すなわち移動通信端末におけるスケーラブルデータサービスの送信データの処理時間をさらに短縮するため、スケーラブルデータサービスの送信データを、送信に先んじて、ＲＡＮでパンクチャリングすることができる。パンクチャリングは、送信データを物理チャネルにマッピングする前に適用可能である。
【００４１】
パンクチャリングでは、送信に先んじて消去する、データストリーム内のビットを示すいわゆるパンクチャリングパターンが採用されている。一般に、この技術は、無線インタフェース送信機能にフレーム内のビット数を整合させるのに使用されている。各受信信号における消去ビットの位置が受信者に分かっているので、受信した信号のビットから元のデータストリームを再構成することができる。
【００４２】
ダウンリンク上のデータレートを下げるためのもう一つの可能な方法として、スケーラブルデータサービスの送信データを拡散させるのに使用する拡散コードの拡散率を下げる方法もある。
【００４３】
スケーラブルデータサービスは、マルチメディアブロードキャスト／マルチキャストサービス（ＭＢＭＳ）であってもよい。さらに、スケーラブルデータサービスにマルチキャストおよび／またはブロードキャストデータ送信を含んでいてもよい。すなわち、スケーラブルサービスは、システム内でブロードキャストサービスとして提供されても、マルチキャストサービスとして提供されてもよい。
【００４４】
物理チャネル上での送信データの多重化は、既知の種類の多重化、すなわち時分割多重、直交符号分割多重、または直交周波数分割多重（ＯＦＤＭ）サブキャリア多重のいずれであってもよい。
【００４５】
さらに本発明は、複数の移動通信端末に接続可能な、無線システム内の無線アクセスネットワークに関する。無線アクセスネットワークは、周波数間測定を行うよう移動通信端末に通知するための通知手段と、スケーラブルデータサービスの複数のインポータンスレイヤを有する送信データを移動通信端末に送信するための送信手段と、送信データのインポータンスレイヤに対し、送信のための複数のインポータンスレイヤのサブセットを選択するプロセスを備えたスケジューリングプロセスを行うためのスケジューリング手段とを備えている。
【００４６】
個別トランスポートチャネルを送信に使用する場合には、スケジューリング手段は、スケーラブルデータサービスの送信データをスケジューリングするように構成することができる。
【００４７】
無線アクセスネットワークでは、通知手段が、送信データのスケジューリングを行うようスケーラブルデータサービスの制御手段に通知するよう構成することができる。
【００４８】
無線アクセスネットワークは、送信データのスケジューリングを行うよう、スケーラブルデータサービスの媒体アクセス制御手段に通知するための無線リソース制御部をさらに具備していてもよい。これは特に、スケーラブルデータサービスの制御手段と無線リソース制御部とが同じネットワーク要素内に所在している場合に該当する。一般に、無線リソース制御は、その通知機能だけに限定されないという点に留意されたい。
【００４９】
これら２種類の制御部が同じネットワーク要素内に所在していない場合には、通知手段は、Ｉｕｒ／Ｉｕｂインタフェースシグナリングを用いてスケーラブルデータサービスの制御手段に通知を送信するための、無線リソース制御部を具備していてもよい。
【００５０】
通知手段は、インポータンスレイヤのサブセットの選択に関するスケジューリング情報を移動通信端末に送信し、無線アクセスネットワークが送信データのスケジューリングを制御したりまたは影響を与えたりできるように構成することができる。
【００５１】
さらに、送信データのインポータンスレイヤは、基本的サービス品質を確保する基本レイヤとサービス品質を向上させるための少なくとも一つの拡張レイヤと具備していてもよい。
【００５２】
無線アクセスネットワークはさらに、物理チャネルに移動通信端末に提供される送信データを多重化するための多重化手段を具備していてもよい。
【００５３】
無線アクセスネットワークはさらに、移動通信端末から周波数間測定結果を受信するための受信手段を具備していてもよい。
【００５４】
受信した測定結果を処理したりその結果に基づいて動作したりするために、無線アクセスネットワークは、さらに、スケーラブルデータサービスのデータを送信するための新しい周波数を移動通信端末に割り当てるか否かを受信測定結果に基づいて決定するための決定手段と、新しい周波数を割り当てることが決定された場合に、移動通信端末にデータ送信のための新しい周波数を割り当てるための割当て手段とを、具備していてもよい。
【００５５】
スケジューリングおよび多重化により、移動通信端末が周波数間測定を行えるだけ十分に、スケーラブルサービスの送信データレートを下げることができない場合には、無線アクセスネットワークは、スケーラブルサービスの送信データをパンクチャリングするためのパンクチャリング手段を具備していてもよい。
【００５６】
上記問題を解決するためのもう一つの可能な方法として、拡散コードの拡散率を変更するよう構成されている、スケーラブルデータサービスの送信データを拡散させるための拡散手段を、無線アクセスネットワークに含めてもよい。
【００５７】
さらに、本発明は、上記のような無線アクセスネットワークと、スケーラブルサービスデータの送受信を行う少なくとも１台の移動通信端末とを具備する通信システムに関する。
【発明を実施するための最良の形態】
【００５８】
以下に、本発明の有利な実施の形態を示した添付図面を参照しながら、本発明について詳細に説明する。各図において同様のまたは対応する細部には、同じ参照番号を付してある。
【００５９】
図１ないし図９は、移動通信端末（ＵＥ１０１）の周波数間セル切替えに関するシナリオを例示することを目的としている。
【００６０】
図１は、ノードＢ１０２と無線ネットワークコントローラ（ＲＮＣ）１０３とを具備する、無線アクセスネットワーク（ＲＡＮ）を表している。概して、ＲＮＣ１０３は、媒体アクセス制御（ＭＡＣ）部と、無線リンク制御（ＲＬＣ）部と、無線リソース制御（ＲＲＣ）部と、ブロードキャスト／マルチキャスト制御（ＢＭＣ）部と、ＲＡＮにおけるパケットデータコンバージェンスプロトコル（ＰＤＣＰ）とを実装することができる。ＲＮＣのＲＲＣは、異なる周波数キャリア間におけるハンドオーバーを行う。
【００６１】
ＲＮＣ１０３は、コアネットワーク（ＣＮ）にさらに接続していてもよい。この図例では、ノードＢ１０２の個々のセル１０４と１０５とに、送信用の２種類のＣＤＭＡキャリア周波数ｆ１とｆ２がそれぞれ採用されている。あるいは、他のアクセス方式を採用してもよい。
【００６２】
ソースセル１０４と、ターゲットセル１０５内のユーザ装置１０１、１０６、１０７が、スケーラブルＭＢＭＳなどのスケーラブルデータサービスに関与している。この図は、ソースセル１０４とターゲットセル１０５とは、同じノードＢ１０２の制御下に置かれていることを示しているが、セルは、異なる２つのノードＢによっても制御できることを示唆している。図に示されているように、ＵＥ１０１の周波数間セル切替え例では、ソースセル１０４におけるキャリア周波数（ソース周波数）とターゲットセル１０５におけるキャリア周波数（ターゲット周波数）が主要な役割を果たすが、セルを制御するための要素ではない。
【００６３】
サービスデータの送信は、個別トランスポートチャネルを用いたマルチキャスト送信の場合には一対一ベースで実施してもよいし、共通トランスポートチャネルを用いたブロードキャスト送信の場合には一対多ベースで実施してもよい。
【００６４】
ＵＥ１０６と１０７とは、ターゲットセル１０５内に所在しており、キャリア周波数ｆ２でスケーラブルサービスデータ（ＭＢＭＳデータ）を受信する。ＵＥ１０１は、ソースセル１０４に所在しており、ＲＡＮ内の登録部に適切な登録メッセージを送信することによって、ＭＢＭＳサービスのマルチキャストグループを連結する。この例では、ＲＮＣ１０３内にＵＥ１０１が配置されていると想定している。矢印１０８と１０９とは、前記マルチキャストサービスを連結するためのシグナリングを示している。さらに、制御ＲＮＣ１０３におけるＭＢＭＳコンテンツは、ＵＥ１０１の識別情報を包含するよう更新される。このプロセスより、ＲＮＣが、サービス加入ユーザ装置（１０１、１０６、１０７）に、提供されたマルチキャストデータを配信することができる。
【００６５】
首尾よくサービスに加入することができたなら、ＵＥ１０１はスケーラブルデータサービス、すなわちマルチキャストサービスの送信データをソース（マルチメディアサービスソース）から受信する。マルチメディアサービスソースは、図２に示されているように、コアネットワーク（ＣＮ）内に配置してもよいし、コアネットワークがさらに接続されるＰＬＭＮ内に配置してもよい。
【００６６】
図２は、ＵＥ１０１に対するマルチキャストサービスのデータ配信を（２０１、２０２）図示したものである。図に示されているように、ＲＡＮは、ノードＢからＵＥ１０１へ転送データを送信する際に、キャリア周波数ｆ１を採用している。
【００６７】
図３では、ＵＥ１０１が、ソースセル１０４からターゲットセル１０５へ移動している、すなわちセルの切替えが行われている。ソースセル１０４からターゲットセル１０５へ移動した後でも、ＵＥ１０１はキャリア周波数ｆ１でマルチキャストデータを、なお受信し続ける（３０１）。
【００６８】
ＵＥ１０１のマルチキャストサービスに加入している、ターゲットセル１０５内に配置されている他のＵＥ１０６と１０７とは、キャリア周波数ｆ２でマルチキャストサービスの送信データを受信する（３０２）。
【００６９】
ＲＮＣ１０３は、スケーラブルデータ送信の構造についてＵＥ１０１に通知し、ＭＣＣＨまたはＮＣＣＨあるいは別の制御チャネルを通じて、ターゲットセル１０５で利用可能なスケーラブルＭＢＭＳサービスを告げる。さらに、ターゲットセル１０５内のスケーラブルサービスまたはＭＢＭＳサービスの提供に使用されているチャネルのタイプは、ＵＥ１０１に対しＲＮＣ１０３によって通報することができる。ブロードキャスト送信では共通トラフィックチャネルを使用することができ、マルチキャスト送信では個別チャネルまたは共通トラフィックチャネルを使用することができる。
【００７０】
すでに述べたように、ＭＢＭＳサービスデータとしてのスケーラブルサービスデータは、キャリア周波数上におけるセクターの利用可能総送信パワーの大部分を消費する。ただし、同じＭＢＭＳサービスを提供されているＵＥ１０１、１０６、１０７は、図３に示されているように、セル内の同じキャリア周波数を必ずしも使用するとは限らない。したがって、ＲＡＮは、単一のキャリア周波数にＵＥ１０１、１０６、１０７のすべてを移動させようとしてもよい。
【００７１】
図４は、無線アクセスネットワークのターゲットセル１０５に入った後に、周波数間測定を行うようＵＥ１０１に指示することを目的として、移動通信端末１０１に通知を送信する無線アクセスネットワークを示している。これらの測定の結果に基づいて、ＲＡＮは、マルチキャストサービスのさらなる受信のためにＵＥ１０１をキャリア周波数ｆ２に移動させるべきか否かを決定する。ＲＮＣ１０３は、ノードＢ１０２を通じて、ＵＥ１０１に通知メッセージを送信する（４０１）。このメッセージは、周波数間測定を行うよう移動通信端末１０１に指示するものである。
【００７２】
この測定は、共通パイロットチャネル（ＣＰＩＣＨ）の観測から得られた数量に依存している。これまでは、測定処理に３種類の数量が規定されていた（例えば、３ＧＰＰ  ＴＳ２５．２１５、“Ｐｈｙｓｉｃａｌ  Ｌａｙｅｒ  −  Ｍｅａｓｕｒｅｍｅｎｔｓ  （ＦＤＤ）”を参照のこと）。
【００７３】
・受信信号コードパワー（ＲＳＣＰ）。この数量は、パイロット記号において規定されている、拡散後の１コードの受信パワーである。
・受信信号強度インジケータ（ＲＳＳＩ）。この数量は、チャネル帯域幅内の広帯域受信パワーである。
・Ｅｃ／Ｎｏ。チャネル帯域幅における総受信パワーで受信信号コードパワーを除算したものとして定義される。すなわちＲＳＣＰ／ＲＳＳＩ。
【００７４】
図４では、ＵＥに対するマルチキャストデータの送信を制御する要素は、例えば、ＲＮＣ１０３におけるＭＡＣ  ｃ／ｓｈ／ｍ部であってもよいということが前提となっている。したがって、マルチキャストデータ送信の制御部は、ＲＡＮ内でのＵＥ１０１に対するキャリア周波数の割当てを制御し、無線リソースを管理するＲＲＣ部と同じネットワーク要素に配置されている。したがって、ＲＲＣ部とマルチキャスト送信を制御するＭＡＣ  ｃ／ｓｈ／ｍ部との間のデータ交換に、指示プリミティブを使用することができる。
【００７５】
ＲＡＮは、ＵＥ１０１における周波数間測定を促進する目的で、ＵＥ１０１で受信されるマルチキャストデータの受信と処理から生じる、「通常の」ＵＥ１０１の処理負荷を軽減する。以下に詳しく述べるように、ＲＲＣ部は、例えば、物理チャネル上での多重化により、フレーム間における送信ギャップを送信フォーマットに提供するように、マルチキャストサービスの送信データをスケジューリングする旨、前記マルチキャストサービスの制御部に指示できる（例として、図１０および図１１を参照）。ＵＥ１０１はこれらの送信ギャップを利用して、このようなタイムインターバルで周波数間測定を行うことができる。送信フォーマットにおける送信ギャップによって与えられたタイムインターバルにおけるこのような測定法は、コンプレストモード測定とも呼ばれている。
【００７６】
したがって、この例では、ＲＮＣ１０３のＲＲＣが、要求された周波数間測定をＵＥ１０１が行えるようにするため、ＵＥ１０１に送信するマルチキャストデータのスケジューリングを開始および／または停止するよう、ＭＡＣ  ｃ／ｓｈ／ｍ部に指示プリミティブを用いて指示することができる（４０２）。このように、ＲＡＮは、フレーム構造内にギャップのあるスケーラブルサービスデータ用の送信フォーマットを導入し、ＵＥ１０１が周波数間測定を行うのを可能にすることによって、ＵＥ１０１が必要とする処理時間を短縮できるようにする。
【００７７】
さらに詳細には、送信されたマルチキャストデータを、すでに説明したように、個別に送信または処理できる別々のインポータンスレイヤに分離することができる。この場合、スケジューリング部が、基本レイヤと可能なら別の拡張レイヤとを（帯域幅として利用可能なシステムリソース次第で）、ＵＥ１０１への送信に選択することによって、スケーラブルサービスの送信データをスケジューリングすると、この機能は有利である。
【００７８】
ＲＲＣからスケーラブルデータサービスの制御部に対する、スケジューリング開始のシグナリングには、マルチキャストデータのどのレイヤを送信またはスケジューリングすべきかを制御部が決定するための基準として使用できる情報を含ませることもできる。ＵＥ１０１が周波数間測定を行うように指示されているときに、どのインポータンスレイヤをスケジューリングおよび送信すべきかを制御部に直接指示するという、もう一つの可能な方法がある。「通常の動作中」は、すべてのインポータンスレイヤ、すなわち基本レイヤとすべての拡張レイヤが送信される。ＲＮＣ１０３のＲＲＣからＵＥ１０１に対して送信された周波数間測定を行うよう指示する通知（４０１）には、フレーム内の送信ギャップの時間的位置、送信ギャップの持続時間、および連続送信ギャップの数についての測定処理に関する情報を包含していてもよい。したがって、送信されるパラメータは、スケーラブルデータサービス、すなわちマルチキャストサービスの制御部によってスケジューリングされたスケーラブルサービスデータの送信フォーマットに関する。これにより、送信データを配信する物理チャネル上での融通性の高い送信フォーマットの利用が可能となる。送信フォーマットは、周波数間測定に要するＵＥ１０１の処理時間に対する現在の要求に容易に適応することができる、すなわち物理チャネル上のデータに送信ギャップを高い融通性の下に導入して、ＵＥ１０１に処理用の空き時間を提供することができる。さらに、使用する変調方式、符号化方式および／または使用するインタリービングパターンに関する情報が、ＵＥ１０１に伝達される。
【００７９】
図４と同様に、図５にも、無線アクセスネットワークのターゲットセル１０５へ入った後に周波数間測定を行うようＵＥ１０１に指示するために、ＵＥ１０１に通知を送信している無線アクセスネットワークが示されている。ＲＮＣ１０３のＲＲＣ部とＲＮＣ５０１のマルチキャストサービスの制御部（ＭＡＣ  ｃ／ｓｈ／ｍ）は、同じネットワーク要素内には配置されていない。マルチキャストサービスの送信データのスケジューリングの開始または停止のために、ＲＲＣ部とＭＡＣ  ｃ／ｓｈ／ｍ部との間で上記のシグナリングを行う目的で、Ｉｕｂ／Ｉｕｒシグナリング５０２を採用してもよい。
【００８０】
上で説明したように、ＭＡＣ  ｃ／ｓｈ／ｍ部とＲＲＣ部とが同じ地理的場所に一緒に配置されている場合には、簡単な指示プリミティブや参照を用いて、スケジューリング情報をＵＥ１０１に送信することができる。ＭＡＣ  ｃ／ｓｈ／ｍ部がノードＢに配置されている場合には、追加のＩｕｂ／Ｉｕｒインタフェースシグナリングを規定しなくてはならない。このことはつまり、アプリケーションプロトコル（Ｉｕｒインタフェースに関するＲＮＳＡＰとＩｕｂインタフェースに関するＮＢＡＰ）でいくつかの変更を行わなければならないことを意味している。
【００８１】
次に、図６を参照すると、ＲＡＮから配信されたマルチキャストデータの送信フォーマット内のギャップのタイムインターバルにおいて、周波数間測定をＵＥ１０１が行うことができる（６０１）。
【００８２】
マルチキャストサービスは、多くの場合、配信されたサービスの品質に基づいて課金されるので、ＵＥ１０１は、周波数間測定が行われているタイムインターバルで劣化したサービスの品質について、課金部に知らせる（６０２）ことが望ましい。マルチキャストデータをスケジューリングする制御部は、ＵＥ１０１が周波数間測定を行っている間に、一定の送信サービスの品質レベルに帰属するすべてのインポータンスレイヤをスケジューリングできないので、提供されるサービスの品質が低下する可能性がある。
【００８３】
ＵＥ１０１は、周波数間測定を終了したなら、図７に示されているように、ＲＡＮにその結果を報告することができる（７０１）。ＵＥ１０１は、結果そのものを送信することによって直接測定結果をＲＡＮに知らせてもよいし、特定の品質に関する基準が満たされているか否かを示すインジケータを使用してもよい。測定結果の受信時には、ＲＡＮが、マルチキャストデータを受信するための別のキャリア周波数にＵＥ１０１を移動できるか否かを決定する。
【００８４】
周波数間測定の結果を受信するのにインジケータがＵＥ１０１によって使用される場合には、ＲＡＮは、ＵＥ１０１のセルの切替えを開始すべきか否かに関するシグナル情報から直接決定する。品質の基準は、ＵＥ１０１によって行われた周波数間測定、すなわち上述した測定結果の値に基づいている。
【００８５】
品質基準が満たされており、ＲＮＣ１０３がマルチキャストデータの送受信のための別のキャリア周波数にＵＥ１０１を移動させるという決定をした場合には、ＲＮＣ１０３は新しいキャリア周波数ｆ２に切り替えるようＵＥ１０１に通知する（８０１）。このプロセスを図８に図示する。
【００８６】
図９に示されているように、最終的に、ＵＥ１０１は、マルチキャストサービスを受信するためターゲットセル１０５内のすべてのＵＥによって使用されている新しいキャリア周波数ｆ２で、スケーラブルサービスデータを受信するようになる（９０１）。したがって、上記の通信法により、本発明は、ＲＡＮが単一キャリア周波数１０２に、スケーラブルデータサービスを受信しているすべてのＵＥ１０１、１０６、１０７を移動させることができる。周波数間ハンドオーバーは、一般に異なるキャリア間における負荷バランスをとるのに使用されている。マルチキャスト／ブロードキャスト型のサービスでは、単一のキャリアを通じて送信を行うことが望ましい。この場合、セル内の利用可能な送信パワーを使用して２種類の異なる周波数で送信する必要がないので、システムの無線効率が大幅に向上できる。
【００８７】
以下の各パラグラフでは、スケーラブルデータサービスの送信データのスケジューリングについてさらに詳細に述べる。上述したように、ＭＡＣ  ｃ／ｓｈ／ｍ部などの、送信データのスケジューリングを制御する要素は、送信にインポータンスレイヤのサブセットだけを選択しスケジューリングすることによって、ＵＥ１０１に送信される送信データのデータレートを下げることができる。図１３は、３種類のインポータンスレイヤ、すなわち基本レイヤ、拡張レイヤ１および拡張レイヤ２のあるマルチキャストデータストリームを図示している。通常、ＭＡＣ  ｃ／ｓｈ／ｍ部は、すべてのインポータンスレイヤが、トランスポートチャネルに割り当てられ、送信データを搬送する物理チャネルに多重化されるように全レイヤの送信スケジューリングを行う。
【００８８】
ＵＥ１０１に対し周波数間測定を行うよう指示が出されている場合には、ＵＥ１０１における処理負荷を軽減するため、ＵＥ１０１に対するデータレートを下げる目的で、送信データのスケジューリングを開始するようＭＡＣ  ｃ／ｓｈ／ｍ部に通知もしくは指示が出される（図４および図５も参照）。この場合、ＭＡＣ  ｃ／ｓｈ／ｍ部は、端末が測定を行うかぎり、ＵＥ１０１に対し基本レイヤと拡張レイヤ１だけを送信するよう決定してもよい。したがって、図１１に図示されているように、送信フォーマットは、物理チャネル上でのデータの多重化の結果として得ることができる。すなわち、送信ギャップは、拡張レイヤ２のデータが通常送信されたであろう位置に配置される。
【００８９】
ただし、単一インポータンスレイヤの送信に使用されるスロットの数が周波数間測定に必要な時間の量とは異なる可能性がある。
【００９０】
したがって、例えばＵＥ１０１による周波数間測定に必要とされるスロット数が拡張レイヤ１と拡張レイヤ２とに割り当てられるスロット数と一致している場合には、単に拡張レイヤ１と拡張レイヤ２とを送信しないだけで、測定を行うのに必要なタイムインターバルが提供されうる。このような場合、基本レイヤだけが、ＭＡＣ  ｃ／ｓｈ／ｍによるＭＢＭＳ送信にスケジューリングされる。ＲＲＣから対応する制御部へのＭＢＭＳ送信をスケジューリングするための指示プリミティブには、コンプレストモードでの測定処理でスケジューリングすることのできるインポータンスレイヤに関する情報を含んでいてもよい。
【００９１】
削減された数のインポータンスレイヤをスケジューリングすることによって測定時間が利用可能となるスロット数に、測定時間が等しくない場合には、このようなスケジューリングを行う前に良好な整合のための他の圧縮アプローチを適用してもよい。すでに述べたように、拡散率を下げることによる利用可能データレートの上昇は、物理チャネルでの送信フォーマットにおける送信ギャップをさらに広げるのに使用してもよい（図１０を参照）。ただし拡散率の低下は、フレーム内の送信パワーを増大させることによって補償する必要があろう。別の可能な方法として、物理レイヤ上でパンクチャリングを行うことによってデータレートを下げる方法がある。
【００９２】
その結果、コンプレストモードで測定を行う際に、フレーム圧縮のための可能な方法を完全に統合することで、ＵＥ１０１が周波数間測定を行うのに必要な処理用空き時間を提供することができるであろう。
【００９３】
スケーラブルなＭＢＭＳの周波数間測定の基本的原則について、一般的ＭＢＭＳの原則に基づいて本明細書で説明してきた。対象とされる原則は、ＭＢＭＳの各種アーキテクチャとチャネルに簡潔な方法で適用することができ、それらのサービスデータのスケーラブルな送信を可能にすることは、当業者にとって明らかである。
【００９４】
前項で示唆されているように、ＲＮＣ内のＭＡＣ  ｃ／ｓｈ／ｍ部は、スケーラブルなＭＢＭＳ送信のスケジューリングを、主要なものとして行う必要はない。他の機能部を規定し、同じネットワーク要素または異なるネットワーク要素（ノードＢ）内に配置してもよい。上述したように、この場合、Ｉｕｂ／Ｉｕｒインタフェースシグナリングを、ＭＡＣ  ｃ／ｓｈ／ｍ指示プリミティブの代りに使用する必要があるということを認識することが重要である。
【００９５】
本明細書における送信フォーマットは、特に、ＷＣＤＭＡ無線インタフェース上でのインポ−タンスレイヤの時間多重に適している。このアイデアが異なる種類の多重化、例えば、ＷＣＤＭＡ無線インタフェースのための符号多重またはＯＦＤＭ無線インタフェースのためのサブキャリア多重に一般に適用可能であるということは当業者にとって明らかである。
【図面の簡単な説明】
【００９６】
【図１】移動通信端末がマルチキャストグループに入っている無線アクセスネットワークを示す。
【図２】無線アクセスネットワークを通じてコアネットワークから移動通信端末にスケーラブルサービスデータが提供される無線アクセスネットワークを示す。
【図３】移動通信端末が新しいセルに入りコアネットワークからスケーラブルサービスデータを受信する無線アクセスネットワークを示す。
【図４】無線アクセスネットワーク内のシグナリングと、無線アクセスネットワークの新しいセルへ入った後に周波数間測定を行うための移動通信端末の通知とを示す。
【図５】第二の無線アクセスネットワーク内における無線ネットワークコントローラへの無線アクセスネットワークのシグナリングと、無線アクセスネットワークの新しいセルへ入った後に周波数間測定を行うための移動通信端末の通知とを示す。
【図６】移動通信端末が周波数間測定を行い無線アクセスネットワーク内の課金部にスケーラブルデータサービスの品質の劣化を報告する無線アクセスネットワークを示す。
【図７】移動通信端末が無線アクセスネットワークに測定結果を報告する無線アクセスネットワークを示す。
【図８】スケーラブルデータを受信できるように移動通信端末に新しい送信周波数を割り当てる無線アクセスネットワークを示す。
【図９】割り当てられた受信周波数で移動通信端末がスケーラブルサービスデータを受信する無線アクセスネットワークを示す。
【図１０】拡散率を下げることによって実現されるコンプレストモードデータ送信を示す。
【図１１】上位レイヤのスケジューリングを行うことによって実現されるコンプレストモードデータ送信を示す。
【図１２】スケーラブルＭＢＭＳ送信の一例を示す。
【図１３】物理チャネルへの送信データのインポータンスレイヤの多重化を示す。
【図１】
2006526312.tif 000003
【図２】
2006526312.tif 000004
【図３】
2006526312.tif 000005
【図４】
2006526312.tif 000006
【図５】
2006526312.tif 000007
【図６】
2006526312.tif 000008
【図７】
2006526312.tif 000009
【図８】
2006526312.tif 000010
【図９】
2006526312.tif 000011
【図１０】
2006526312.tif 000012
【図１１】
2006526312.tif 000013
【図１２】
2006526312.tif 000014
【図１３】
2006526312.tif 000015
【手続補正書】
【提出日】平成16年8月24日(2004.8.24)
【手続補正１】
【補正対象書類名】特許請求の範囲
【補正対象項目名】全文
【補正方法】変更
【補正の内容】
【特許請求の範囲】
【請求項１】
無線アクセスネットワークと複数の移動通信端末とを具備する無線システムにおける通信方法であって、前記無線アクセスネットワークによって行われる以下のステップを備え、
周波数間測定を行うよう移動通信端末に通知するステップと、
複数の異なるレイヤデータストリームを含むスケーラブルデータサービスの送信データを前記移動通信端末に送信するステップと、
前記複数の異なるレイヤデータストリームのサブセットを選択するステップと、
送信のために前記選択した異なるデータストリームをスケジューリングして、前記移動通信端末が周波数間測定を行うのを可能にするステップと、
を備える通信方法。
【請求項２】
個別トランスポートチャネルが送信に使用される場合に、前記スケーラブルデータサービスの前記送信データがスケジューリングされる請求項１に記載の通信方法。
【請求項３】
前記送信データのスケジューリングを行うよう前記スケーラブルデータサービスの制御部に通知するステップをさらに備える請求項１または請求項２に記載の通信方法。
【請求項４】
前記スケーラブルデータサービスの制御部に通知するステップにおいて、前記無線アクセスネットワークの無線リソース制御部は、前記送信データのスケジューリングを行うよう、前記スケーラブルデータサービスの媒体アクセス制御部に少なくとも一つの指示プリミティブを用いて通知する請求項３に記載の通信方法。
【請求項５】
前記スケーラブルデータサービスの制御部に通知するステップにおいて、前記無線アクセスネットワークの無線リソース制御部は、前記無線リソース制御部および前記スケーラブルデータサービスの制御部が一緒に配置されていない場合、前記スケーラブルデータサービスの前記制御部にネットワーク要素間インタフェースシグナリングを用いて通知する請求項３に記載の通信方法。
【請求項６】
前記スケーラブルデータサービスの制御部に通知するステップは、スケジューリングすべき異なるレイヤデータストリームのサブセットの選択に関するスケジューリング情報を送信するステップを備える請求項３から請求項５のいずれかに記載の通信方法。
【請求項７】
前記送信データの前記異なるレイヤデータストリームは、基本的サービス品質を実現する基本レイヤと前記サービス品質を向上させる少なくとも一つの拡張レイヤとを具備する請求項１から請求項６のいずれかに記載の通信方法。
【請求項８】
前記無線アクセスネットワークから前記移動通信端末に提供される前記送信データを物理チャネル上で多重化するステップをさらに備える請求項１から請求項７のいずれかに記載の通信方法。
【請求項９】
多重化は、前記物理チャネルでの、時間多重、符号多重またはＯＦＤＭサブキャリア多重のいずれかである請求項８に記載の通信方法。
【請求項１０】
前記周波数間測定結果から導出されたインジケータを前記移動通信端末から受信するためのステップをさらに備える請求項１から請求項９のいずれかに記載の通信方法。
【請求項１１】
前記スケーラブルサービスデータを送信するための新しい周波数を前記移動通信端末に割り当てるか否かを、受信した測定インジケータに基づいて決定するステップと、
前記新しい周波数を割り当てることが決定された場合に、前記移動通信端末にデータ送信用の前記新しい周波数を割り当てるステップと、
をさらに備える請求項１０に記載の通信方法。
【請求項１２】
前記通知するステップにおいて前記移動通信端末に送信されるデータは、前記無線アクセスネットワークによって使用される、前記スケーラブルデータサービスのデータ送信のための送信フォーマットに関する情報を含む請求項１から請求項１１のいずれかに記載の通信方法。
【請求項１３】
前記送信フォーマット内の情報は、送信フレーム内の送信ギャップの時間的位置、前記送信ギャップの持続期間、および／または前記送信フォーマット内の連続送信ギャップの数を示す請求項１２に記載の通信方法。
【請求項１４】
前記通知するステップにおいて前記移動通信端末に送信されるデータは、ＭＢＭＳ制御チャネルまたは通知制御チャネルを用いて送信される請求項１２または請求項１３に記載の通信方法。
【請求項１５】
前記スケーラブルデータサービスの前記送信データをパンクチャリングするステップをさらに備える請求項１から請求項１４のいずれかに記載の通信方法。
【請求項１６】
前記スケーラブルデータサービスの前記送信データを拡散するのに使用する拡散コードの拡散率を下げるステップをさらに備える請求項１から請求項１５のいずれかに記載の通信方法。
【請求項１７】
前記スケーラブルデータサービスは、マルチメディアブロードキャスト／マルチキャストサービス（ＭＢＭＳ）である請求項１から請求項１６のいずれかに記載の通信方法。
【請求項１８】
前記スケーラブルデータサービスは、マルチキャストおよび／またはブロードキャストデータの送信を備える請求項１から請求項１７のいずれかに記載の通信方法。
【請求項１９】
複数の移動通信端末に接続可能な無線システム内の無線アクセスネットワークであって、
周波数間測定を行うよう移動通信端末に通知するための通知手段と、
複数の異なるレイヤデータストリームを有するスケーラブルデータサービスの送信データを前記移動通信端末に送信するための送信手段と、
前記送信データの前記異なるレイヤデータストリームのサブセットをスケジューリングして、前記移動通信端末が周波数間測定を行うのを可能にするとともに、送信のために前記複数の異なるレイヤデータストリームのサブセットを選択するよう構成されるスケジューリング手段と、
を具備する無線アクセスネットワーク。
【請求項２０】
前記スケジューリング手段は、個別トランスポートチャネルが送信に使用される場合に、前記スケーラブルデータサービスの前記送信データをスケジューリングするよう構成される請求項１９に記載の無線アクセスネットワーク。
【請求項２１】
前記通知手段は、前記送信データのスケジューリングを行うよう、前記スケーラブルデータサービスの制御手段に通知するようさらに構成される請求項１９または請求項２０に記載の無線アクセスネットワーク。
【請求項２２】
前記送信データのスケジューリングを行うよう、前記スケーラブルデータサービスの媒体アクセス制御手段に少なくとも一つの指示プリミティブを用いて通知するための無線リソース制御部をさらに具備する請求項２１に記載の無線アクセスネットワーク。
【請求項２３】
前記無線リソース制御部および前記制御部が一緒に配置されていない場合に、前記スケーラブルデータサービスの制御手段にネットワーク要素間インタフェースシグナリングを用いて通知を送信するための無線リソース制御部をさらに具備する請求項２１に記載の無線アクセスネットワーク。
【請求項２４】
前記無線リソース制御部は、前記移動通信端末への前記異なるレイヤデータストリームのサブセットの選択に関するスケジューリング情報を送信するよう構成される請求項２１から請求項２３のいずれかに記載の無線アクセスネットワーク。
【請求項２５】
前記送信データの前記異なるレイヤデータストリームは、基本的サービス品質を実現する基本レイヤと前記サービス品質を向上させる少なくとも一つの拡張レイヤとを有する請求項１９から請求項２４のいずれかに記載の無線アクセスネットワーク。
【請求項２６】
前記移動通信端末に提供される前記送信データを物理チャネル上で多重化するための多重化手段をさらに具備する請求項１９から請求項２５のいずれかに記載の無線アクセスネットワーク。
【請求項２７】
前記移動通信端末からの前記周波数間測定結果から導出されたインジケータを受信するための受信手段をさらに具備する請求項１９から請求項２６のいずれかに記載の無線アクセスネットワーク。
【請求項２８】
前記スケーラブルデータサービスデータの送信のために前記移動通信端末に新しい周波数を割り当てるか否かを、受信した測定インジケータに基づいて決定するための決定手段と、
前記新しい周波数を割り当てることが決定された場合に、前記移動通信端末にデータ送信のための前記新しい周波数を割り当てるための割当て手段と、
をさらに具備する請求項１９から請求項２７のいずれかに記載の無線アクセスネットワーク。
【請求項２９】
前記スケーラブルサービスの前記送信データをパンクチャリングするためのパンクチャリング手段をさらに具備する請求項１９から請求項２８のいずれかに記載の無線アクセスネットワーク。
【請求項３０】
前記スケーラブルデータサービスの前記送信データを拡散するとともに、拡散コードの拡散率を変更するよう構成される拡散手段をさらに具備する請求項１９から請求項２９のいずれかに記載の無線アクセスネットワーク。
【請求項３１】
請求項１９から請求項３０のいずれかに記載の無線アクセスネットワークと、スケーラブルサービスデータを送信および／または受信する少なくとも一つの移動通信端末と、を具備する通信システム。
【国際調査報告】
2006526312.tif 000016
2006526312.tif 000017
2006526312.tif 000018